(57)【要約】【課題】  高齢化や疾病により足腰の力が衰えた人は、ベッドでの就寝時に、臀部をベッドの中心まで移動させることや体位変換・寝返りをうつことができにくくなる。  足腰の力が衰えた人が、臀部以外の位置に、手足を着き、一人で、臀部をベッドの中心まで移動させることや体位変換・寝返りをうつことなどの動作に必要な力を軽減することにより、自立動作を可能にし、介護者の負担軽減にもなるシーツで、縫付により生じるわずかな段差や摩擦による重ねあわされた布地のずれの可能性が少ないものが必要。【解決手段】  通常シーツの臀部にあたる布地部の緯糸に摩擦の少ないフィラメント糸を使用し、かつ、その布地部の組織を、摩擦の少ない織り構造にした摩擦の少ない高すべり布地部として織り込んだシーツ。【選択図】図１
0003126751.tif 000002
【実用新案登録請求の範囲】
【請求項１】
通常シーツの臀部にあたる布地部の緯糸に摩擦の少ないフィラメント糸を使用し、かつ、その布地部の組織を、摩擦の少ない織り構造にした摩擦の少ない高すべり布地部として織り込んだシーツ。
【考案の詳細な説明】
【技術分野】
【０００１】  高齢化や疾病により足腰の力が衰えた人は、ベッドでの就寝時に、臀部をベッドの中心まで移動させることや体位変換・寝返りをうつことができにくくなる。本考案は、これらの動作に必要な力を軽減することにより、自立動作を可能にし、介護者の負担軽減ともなる高すべり布地部織り込みシーツである。
【背景技術】
【０００２】  高齢化や疾病により足腰の力が衰えた人は、ベッドでの就寝時に、臀部をベッドの中心まで移動させることや体位変換・寝返りをうつことができにくくなる。
移動動作に必要な力を軽減する医療及び介護用シート及びシーツとして、表面がすべる特性を持った２枚のシートを重ねて使用し、非常に滑りやすい接着面ができることを利用するものや、布帛の３０重量％以上１００％重量以下にポリエチレン系樹脂、ポリフェニルサルファイド樹脂およびフッソ系樹脂の内の少なくとも１種類の樹脂からなる合成繊維を全面に用いた介護用シーツで、シーツに対する患者の滑り性を向上させるものや、全面がすべりの多い総朱子織のものがある。これらは、介護は楽になるが、足腰の力が衰えた人が、ベッドでの就寝時に、一人で、臀部をベッドの中心まで移動させることや体位変換・寝返りをうつ場合には、臀部以外の位置に、手足を着き、移動、体位変換・寝返り動作を行うが、その位置も滑りやすくなっており、一人で、臀部をベッドの中心まで移動させることや体位変換・寝返りをうつことができにくいものになっている。
また、すべりの良い布地・シルックを縫いつけて寝返りを楽にするシーツもあるが、縫付により生じるわずかな段差や摩擦による重ねあわされた布地部分のずれの可能性が多いものである。【０００３】
【特許文献１】  特開  ２００４−０４９２４５  医療及び介護用シート及びシーツ
【特許文献２】  特開  ２０００−０２４０５４  介護用シーツ
【特許文献３】  実登  ３０１６６５９  ねがえりらくらくシーツ
【考案の開示】
【考案が解決しようとする課題】
【０００４】  高齢化や疾病により足腰の力が衰えた人は、ベッドでの就寝時に、臀部をベッドの中心まで移動させることや体位変換・寝返りをうつことができにくくなる。
足腰の力が衰えた人が、臀部以外の位置に、手足を着き、一人で、臀部をベッドの中心まで移動させることや体位変換・寝返りをうつことなどの動作に必要な力を軽減することにより、自立動作を可能にし、介護者の負担軽減にもなるシーツで、縫付により生じるわずかな段差や摩擦による重ねあわされた布地部分のずれの可能性が少ないものが必要。
【課題を解決するための手段】
【０００５】  通常シーツの臀部にあたる布地部の緯糸に摩擦の少ないフィラメント糸を使用し、かつ、その布地部の組織を、摩擦の少ない織り構造にした摩擦の少ない高すべり布地部として織り込んだ高すべり布地部織り込みシーツ。
【考案の効果】
【０００６】  臀部付近のみにすべり部を有するため、寝返り時に、支える手足の接触部分は摩擦が少し多く、力がかかり易くて動作がし易い【０００７】  高すべり布地部のよこの中心線およびすべり部の端に色糸線を付けると、本人がベッドに腰掛けて座り、中心へ身体をずらしたりするときやベッドメーキングのときに目印となる。【０００８】  高すべり布地部のよこの中心線およびすべり部の端に色糸線を付けると、介護のときに指標となり、ベッドは真ん中から折れ曲がるが、その部分に大転子を合わせると、背もたれを上げたときに身体がずれないようにしやすく、じょくそう予防にも効果がある。【０００９】  臀部付近に高すべり部を織り込んだ横シーツは、両端のシーツ布地をベッド下に挟み込み使用すると、高すべりシーツの特徴を持つと共に、使用・洗濯時に、嵩や重量が少ないので使い勝手が良い。
【考案を実施するための最良の形態】
【００１０】  通常シーツの臀部にあたる布地部の緯糸に摩擦の少ないフィラメント糸を使用し、かつ、その布地部の組織を、摩擦の少ない織り構造にした摩擦の少ない高すべり布地部として織り込んだ高すべり布地部織り込みシーツ。
【実施例】
【００１１】  通常シーツの臀部にあたる布地部の緯糸に摩擦の少ないフィラメント糸を使用し、かつ、その布地部の組織を、摩擦の少ない織り構造にした摩擦の少ない高すべり布地部として織り込んだ高すべり布地部織り込みシーツにおいて、高すべり布地部のよこの中心線に色糸線を付けることができる。【００１２】  通常シーツの臀部にあたる布地部の緯糸に摩擦の少ないフィラメント糸を使用し、かつ、その布地部の組織を、摩擦の少ない織り構造にした摩擦の少ない高すべり布地部として織り込んだ高すべり布地部織り込みシーツにおいて、中心線に替えて、高すべり布地部の上半分、下半分というように色を変えて製織することにより、中心の目印にすることもできる。【００１３】  通常シーツの臀部にあたる布地部の緯糸に摩擦の少ないフィラメント糸を使用し、かつ、その布地部の組織を、摩擦の少ない織り構造にした摩擦の少ない高すべり布地部として織り込んだ高すべり布地部織り込みシーツにおいて、高すべり布地部のよこの中心線および高すべり布地部境界に色糸線を付けることができる。【００１４】  通常シーツの臀部にあたる布地部の緯糸に摩擦の少ないフィラメント糸を使用し、かつ、その布地部の組織を、摩擦の少ない織り構造にした摩擦の少ない高すべり布地部として織り込んだ高すべり布地部織り込みシーツにおいて、高すべり布地部のよこの中心線およびシーツのたての中心線に色糸線を付けることができる。【００１５】  通常シーツの臀部にあたる布地部の緯糸に摩擦の少ないフィラメント糸を使用し、かつ、その布地部の組織を、摩擦の少ない織り構造にした摩擦の少ない高すべり布地部として織り込んだ高すべり布地部織り込みシーツにおいて、高すべり布地部のよこの中心線および高すべり布地部境界に色糸線を付けることができ、さらにシーツのたての中心線に色糸線を付けることができる。【００１６】  横シーツの緯糸に、摩擦の少ないフィラメント糸を使用し、布地中央のベッド幅程度の布地部の組織を、摩擦の少ない織り構造にした摩擦の少ない高すべり布地部として織り込んだ高すべり布地部織り込み横シーツとすることができる。【００１７】  横シーツの緯糸に、摩擦の少ないフィラメント糸を使用し、布地中央のベッド幅程度の布地部の組織を、摩擦の少ない織り構造にした摩擦の少ない高すべり布地部として織り込んだ高すべり布地部織り込み横シーツにおいて、よこの中心線に色糸線を付けることができる。【００１８】  横シーツの緯糸に、摩擦の少ないフィラメント糸を使用し、布地中央のベッド幅程度の布地部の組織を、摩擦の少ない織り構造にした摩擦の少ない高すべり布地部として織り込んだ高すべり布地部織り込み横シーツのよこの中心線に替えて、上半分、下半分というように色を変えて製織することにより、中心の目印にすることもできる。【００１９】  横シーツの緯糸に、摩擦の少ないフィラメント糸を使用し、布地中央のベッド幅程度の布地部の組織を、摩擦の少ない織り構造にした摩擦の少ない高すべり布地部として織り込んだ高すべり布地部織り込み横シーツにおいて、よこの中心線および布地部端に色糸線を付けることができる。【００２０】  横シーツの緯糸に、摩擦の少ないフィラメント糸を使用し、布地中央のベッド幅���度の布地部の組織を、摩擦の少ない織り構造にした摩擦の少ない高すべり布地部として織り込んだ高すべり布地部織り込み横シーツにおいて、よこの中心線およびたての中心線に色糸線を付けることができる。【００２１】  横シーツの緯糸に、摩擦の少ないフィラメント糸を使用し、布地中央のベッド幅程度の布地部の組織を、摩擦の少ない織り構造にした摩擦の少ない高すべり布地部として織り込んだ高すべり布地部織り込み横シーツにおいて、よこの中心線および布地部端に色糸線を付けることができ、さらにたての中心線に色糸線を付けることができる。
【産業上の利用可能性】
【００２２】  高齢化や疾病により足腰の力が衰えた人は、ベッドでの就寝時に、臀部をベッドの中心まで移動させることや体位変換・寝返りをうつことができにくくなる。
足腰の力が衰えた人が、臀部以外の位置に、手足を着き、一人で、臀部をベッドの中心まで移動させることや体位変換・寝返りをうつことなどの動作に必要な力を軽減することにより、自立動作を可能にするとともに、介護者の介助動作の負担軽減にもなるシーツで、施設や在宅における介護や看護に役立つ。
【図面の簡単な説明】
【００２３】
【図１】高すべり布地部織り込みシーツ
【図２】よこの中心線に色糸線を付けた高すべり布地部織り込みシーツ
【図３】よこの中心線およびすべり部境界に色糸線を付けた高すべり布地部織り込みシーツ
【図４】よこの中心線およびたての中心線に色糸線を付けた高すべり布地部織り込みシーツ
【図５】よこの中心線およびすべり部境界さらにたての中心線に色糸線を付けた高すべり布地部織り込みシーツ
【図６】高すべり布地部織り込み横シーツ
【図７】よこの中心線に色糸線を付けた高すべり布地部織り込み横シーツ
【符号の説明】
【００２４】１  シーツ本体１
２  シーツ本体２
３  すべりの良い布地部
４  すべり部のよこの中心線に付けた色糸線
５  すべり部境界に付けた色糸線１
６  すべり部境界に付けた色糸線２
７  シーツのたての中心線に付けた色糸線
８  横シーツ本体１
９  横シーツ本体２
【図１】
0003126751.tif 000003
【図２】
0003126751.tif 000004
【図３】
0003126751.tif 000005
【図４】
0003126751.tif 000006
【図５】
0003126751.tif 000007
【図６】
0003126751.tif 000008
【図７】
0003126751.tif 000009